(57)【特許請求の範囲】
【請求項１】
底面に塵埃を吸引するための横長の開口を有する本体ケースに、回転ロータを前記開口の近傍に備えた掃除機用床ノズルにおいて、前記回転ロータはロータ、清掃体、ブラケット及び軸受けより構成され、前記ロータは複数の概棒形状あるいは概筒形状より形成され、前記清掃体を挟み込んで、前記ロータを軸の周りに所定の角度捩りを加えて前記清掃体を螺旋状にすると共に、前記ロータの両端に前記ブラケットを挿入固定し、前記軸受けを前記ブラケットの外側に配設したことを特徴とする掃除機用床ノズルの回転ロータ。
【請求項２】
底面に塵埃を吸引するための横長の開口を有する本体ケースに、回転ロータを前記開口の近傍に備えた掃除機用床ノズルにおいて、前記回転ロータはロータ、清掃体、ブラケット及び軸受けより構成され、前記ロータは、軸の周りに所定の角度捩りを加えた螺旋状を形成する複数の概棒形状あるいは概筒形状より形成され、前記清掃体を挟みこんで前記清掃体を螺旋状にすると共に、前記ロータの両端に前記ブラケットを挿入固定し、前記軸受けを前記ブラケットの外側に配設したことを特徴とする掃除機用床ノズルの回転ロータ。
【請求項３】
請求項１または２記載の構成よりなる掃除機用床ノズルの回転ロータにおいて、ロータの材質に竹、木、紙、アルミ合金、マグネシウム合金、樹脂、セラミック、弾性材料の内、少なくとも１種類以上の材質を使用したことを特徴とする掃除機用床ノズルの回転ロータ。
【発明の詳細な説明】
【０００１】
【発明の属する技術分野】
本発明は、掃除機のアタッチメントとして使用される床ノズルに内蔵される回転ロータに関するものである。
【０００２】
【従来の技術】
図６に従来の回転ロータを示す。図において、５１は回転ロータで回転ロータを構成するロータ５２を金属製の円柱状とし、その外周に開口する複数の支持溝５３に清掃体５４を挿入固定し、ロータ５２を軸の周りに捩りを加えて清掃体５４を螺旋状とし、ロータ５２の両端部に各々従動プーリ５５及び軸５６を一体に有する従動側ブラケット５７、軸５６を一体に有する遊び側ブラケット５８を固着し、さらにその外側にはワッシャ５９を介して軸受け６０を圧入保持した軸受けホルダー６１が取り付けられ、回転自在に軸支された状態に組み立てられている。
【０００３】
このように構成した従来の掃除機用床ノズルの回転ロータ５１を回転させると清掃体５４が床面を擦り、床面にある塵埃をかき上げて、清掃効果を発揮するものである。
【０００４】
【発明が解決しようとする課題】
しかしながら、上記のように構成した掃除機用床ノズルの回転ロータ５１によれば、回転ロータ５１は、ロータ５２を金属製の円柱状とし、その外周に開口する複数の支持溝５３に清掃体５４を挿入固定し、ロータ５２を軸の周りに捩りを加えて清掃体５４を螺旋状としている。そのため、ロータ５２は、その外周に開口する複数の支持溝５３を有する金属製の円柱状に加工後、捩りを加える加工を必要としている。したがって、ロータ５２は、加工が複雑であり、かつ加工コストが高いという課題を有していた。
【０００５】
本発明は、上記のような問題を解決するためになされたもので、回転ロータの加工を簡単にし、かつ安価な回転ロータを提供することを目的としている。
【０００６】
【課題を解決するための手段】
本発明にかかる掃除機用床ノズルの回転ロータは、次のように構成したものである。
（１）底面に塵埃を吸引するための横長の開口を有する本体ケースに、回転ロータを前記開口の近傍に備えた掃除機用床ノズルにおいて、前記回転ロータはロータ、清掃体、ブラケット及び軸受けより構成され、前記ロータは複数の概棒形状あるいは概筒形状より形成され、前記清掃体を挟み込んで前記ロータを軸の周りに所定の角度捩りを加えて前記清掃体を螺旋状にすると共に、前記ロータの両端に前記ブラケットを挿入固定し、前記軸受けを前記ブラケットの外側に配設したものである。
（２）底面に塵埃を吸引するための横長の開口を有する本体ケースに、回転ロータを前記開口の近傍に備えた掃除機用床ノズルにおいて、前記回転ロータはロータ、清掃体、ブラケット及び軸受けより構成され、前記ロータは、軸の周りに所定の角度捩りを加えた螺旋状を形成する複数の概棒形状あるいは概筒形状より形成され、前記清掃体を挟みこんで前記清掃体を螺旋状にすると共に、前記ロータの両端に前記ブラケットを挿入固定し、前記軸受けを前記ブラケットの外側に配設したものである。
（３）上記（１）または（２）の掃除機用床ノズルの回転ロータにおいて、ロータの材質に竹、木、紙、アルミ合金、マグネシウム合金、樹脂、セラミック、弾性材料の内、少なくとも１種類以上の材質を使用したものである。
【０００７】
【発明の実施の形態】
実施の形態１
図１から図２に実施の形態１を示す。図１は本発明の回転ロータの正面図である。図１において、１は回転ロータ、２はロータ、３は清掃体、４はブラケット、５は軸受けである。図２は清掃体をロータにて挟み込んだ状態の斜視図である。図２において、６は基布、７はブラシである。本発明の回転ロータは図１の如く、ロータ２、清掃体３、ブラケット４及び軸受け５より構成されてある。ロータ２は概棒形状のものが４個形成されてある。清掃体３は、ロータ２にて挟み込まれるように２個形成されてあり、平板状の基布６の上面にブラシ７が直列に形成されてある。ロータ２は、図２の如く、清掃体３に形成された基布６を挟み込んだ後、軸の周りに９０度の角度捩りを加えて螺旋状にした後、ロータ２の両端にブラケット４を挿入固定し、軸受け５をブラケット４の外側に配設してある。
【０００８】
実施の形態１は、上記の如くの構成になっている為、清掃体３は、軸の周りに９０度の角度捩りが加えられた螺旋状に形成される。そして、回転ロータ１を回転させると清掃体３が床面を擦り、床面にある塵埃をかき上げて、清掃効果を発揮する。
【０００９】
なお、上記回転ロータ１においては、ロータ２及び清掃体３は、軸の周りに９０度の角度捩りが加えられた螺旋状に形成されてあるが、捩り角度は目的に応じて適時所定の角度を設定しても、何ら支障はない。また、ロータの断面形状、ロータ及び清掃体の使用本数等の構成についても、目的に応じて適時設定しても、何ら支障はない。さらにまた、清掃体はブラシが形成されてあるが、ブレード等の弾性材料を使用しても、何ら支障はない。
【００１０】
また、図７から図８に実施の形態１の他の実施例を示す。図７は本発明の回転ロータの他の実施例の正面図である。図７において、３１は回転ロータ、３２はロータ、３は清掃体、４はブラケット、５は軸受けである。図８は清掃体をロータにて挟み込んだ状態の斜視図である。図８において、１６は基布、７はブラシである。本発明の回転ロータは図７の如く、ロータ３２、清掃体３、ブラケット４及び軸受け５より構成されてある。ロータ３２は概棒形状のものが４個形成されてある。清掃体３は、ロータ３２にて挟み込まれるように２個形成されてあり、平板状の基布１６の上面にブラシ７が直列に形成されてある。平板状の基布１６は、ロータの回転時に、清掃体３に形成されてあるブラシ７と共に床面を擦るよう、横幅が設定されてある。ロータ３２は、図８の如く、清掃体３に形成された基布１６を挟み込んだ後、軸の周りに９０度の角度捩りを加えて螺旋状にした後、ロータ３２の両端にブラケット４を挿入固定し、軸受け５をブラケット４の外側に配設してある。
【００１１】
実施の形態１の他の実施例は、上記の如くの構成になっている為、清掃体３は、軸の周りに９０度の角度捩りが加えられた螺旋状に形成される。そして、回転ロータ３１を回転させると清掃体３に形成されてあるブラシ７及び基布１６が床面を擦り、床面にある塵埃をかき上げて、清掃効果を発揮する。
【００１２】
実施の形態２
図３から図４に実施の形態２を示す。図３は本発明の回転ロータの正面図である。図３において、１１は回転ロータ、１２はロータ、３は清掃体、４はブラケット、５は軸受けである。図４は清掃体をロータにて挟み込んだ状態の斜視図である。図４において、６は基布、７はブラシである。本発明の回転ロータは図３の如く、ロータ１２、清掃体３、ブラケット４及び軸受け５より構成されてある。ロータ１２は軸の周りに９０度の角度捩りを加えて螺旋状にした概棒形状のものが４個形成されてある。清掃体３は、ロータ１２にて挟み込まれるように２個形成されてあり、平板状の基布６の上面にブラシ７が直列に形成されてある。清掃体３は、図４の如く、軸の周りに９０度の角度捩りを加えて螺旋状にした概棒形状のロータ１２にたいして、基布６を挟み込むことにより、軸の周りに９０度の角度捩りが加えられた螺旋状に形成される。その後、ロータ１２の両端にブラケット４を挿入固定し、軸受け５をブラケット４の外側に配設してある。
【００１３】
実施の形態２は、上記の如くの構成になっている為、清掃体３は、ロータ１２に挟み込むことにより、軸の周りに９０度の角度捩りが加えられた螺旋状に形成される。そして、回転ロータ１１を回転させると清掃体３が床面を擦り、床面にある塵埃をかき上げて、清掃効果を発揮する。
【００１４】
なお、上記回転ロータ１１においても、実施の形態１と同様に、ロータ１２及び清掃体３の捩り角度は目的に応じて適時所定の角度を設定しても、何ら支障はない。また、ロータの断面形状、ロータ及び清掃体の使用本数等の構成についても、目的に応じて適時設定しても、何ら支障はない。さらにまた、清掃体はブラシが形成されてあるが、ブレード等の弾性材料を使用しても、何ら支障はない。
【００１５】
実施の形態３
図５に実施の形態３を示す。図５は本発明の回転ロータの正面図である。図５において、２１は回転ロータ、２２はロータ、３は清掃体、４はブラケット、５は軸受けである。本発明の回転ロータは図５の如く、ロータ２２、清掃体３、ブラケット４及び軸受け５より構成されてある。ロータ２２は材質に竹を使用し、清掃体３は、ロータ２２にて挟み込まれるように２個形成されてあり、平板状の基布６の上面にブラシ７が直列に形成されてある。ロータ２２は、清掃体３を挟み込んだ後、軸の周りに９０度の角度捩りを加えて螺旋状にし、その後、ロータ２２の両端にブラケット４を挿入固定し、軸受け５をブラケット４の外側に配設してある。
【００１６】
実施の形態３は、上記の如くの構成になっている為、清掃体３は、軸の周りに９０度の角度捩りが加えられた螺旋状に形成される。そして、回転ロータ２１を回転させると竹製のロータ２２に挟み込まれた清掃体３が床面を擦り、床面にある塵埃をかき上げて、清掃効果を発揮する。
【００１７】
【発明の効果】
以上の説明から明らかなように、本発明の掃除機用床ノズルは次に示すような効果を得ることができる。なお、説明に当たっては、請求項の番号と同じ番号を付して説明する。
【００１８】
（１）回転ロータは、ロータ、清掃体、ブラケット及び軸受けより構成され、ロータは概棒形状のものを使用し、清掃体を挟み込んで、清掃体を軸の周りに角度捩りを加えて螺旋状にした後、ロータの両端にブラケットを挿入固定し、軸受けをブラケットの外側に配設した為、ロータを安価で製作できる。
【００１９】
（２）回転ロータは、ロータ、清掃体、ブラケット及び軸受けより構成され、ロータは軸の周りに角度捩りを加えて螺旋状にした概棒形状のものを使用し、清掃体を挟み込んで、清掃体を軸の周りに角度捩りを加えて螺旋状にした後、ロータの両端にブラケットを挿入固定し、軸受けをブラケットの外側に配設した為、ロータに清掃体を挟み込んだ後の捩り加工をする必要が無く、回転ロータの組みつけを迅速にできる。また、清掃体をロータに挟み込むことにより、清掃体を軸の周りに角度捩りを加えた螺旋状に固定する事ができる。
（３）回転ロータは、ロータ、清掃体、ブラケット及び軸受けより構成され、ロータは材質に竹を使用した概棒形状のものである為、ロータを、極めて軽量に製作することができる。
【００２０】
【図面の簡単な説明】
【図１】本発明の実施の形態１の回転ロータの正面図である。
【図２】本発明の実施の形態１の清掃体をロータにて挟み込んだ状態の斜視図である。
【図３】本発明の実施の形態２の回転ロータの正面図である。
【図４】本発明の実施の形態２の清掃体をロータにて挟み込んだ状態の斜視図である。
【図５】本発明の実施の形態３の回転ロータの正面図である。
【図６】従来の回転ロータの正面図である。
【図７】本発明の実施の形態１の他の実施例の回転ロータの正面図である。
【図８】本発明の実施の形態１の他の実施例の清掃体をロータにて挟み込んだ状態の斜視図である。
【符号の説明】
１、１１、２１、３１、５１  回転ロータ
２、１２、２２、３２、５２  ロータ
３  清掃体  ４  ブラケット  ５  軸受け  ６、１６  基布
７  ブラシ  ５３  支持溝  ５５  従動プーリ  ５６  軸
５７  従動側ブラケット  ５８  遊び側ブラケット
５９  ワッシャ  ６０  軸受け  ６１  軸受けホルダー
【図１】
0004579457.tif 000002
【図２】
0004579457.tif 000003
【図３】
0004579457.tif 000004
【図４】
0004579457.tif 000005
【図５】
0004579457.tif 000006
【図６】
0004579457.tif 000007
【図７】
0004579457.tif 000008
【図８】
0004579457.tif 000009